【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
コンピューター可読命令が組み込まれたコンピューター可読記録媒体と結合されるプロセッサを備えるシステムであって、前記コンピューター可読命令は、色基盤変換エンジンを実行するためにプロセッサにより実行されるものであり、前記色基盤変換エンジンは、
ソースカラーコンテンツを受け取り、該ソースカラーコンテンツをデスティネーションカラーコンテンツにマッピングすることを容易にする変換を作成するようになっているシーケンシャル変換コンポーネントであって、前記シーケンシャル変換コンポーネントが、前記ソースカラーコンテンツを中間色空間にマッピングする変換を作成するようになっており、前記中間色空間は、前記中間色空間への線形数学的オペレーションの適用を可能にするガンマ・パラメータを備える、シーケンシャル変換コンポーネントと、
前記変換を受け取って、該変換に基づいて最適化変換テーブルを作成するようになっている変換最適化コンポーネントと、
前記最適化変換テーブルを受け取って、該最適化変換テーブルに基づいて前記デスティネーションカラーコンテンツを生成するようになっている変換実行コンポーネントと
を少なくとも含む、システム。
【請求項２】
請求項１に記載のシステムにおいて、前記シーケンシャル変換コンポーネントは、前記ソースデバイスに関連付けられている色空間のピクセル値を受け取るようになっている順方向デバイスモデルを含む、システム。
【請求項３】
請求項２に記載のシステムにおいて、前記順方向デバイスモデルは、前記ソースデバイス及び前記デスティネーションデバイスの少なくとも一方の特性を指定するデバイスモデルプロファイルからデータを受け取るようになっている、システム。
【請求項４】
請求項３に記載のシステムにおいて、前記順方向デバイスモデルは、前記ソースデバイス及び前記デスティネーションデバイスの少なくとも一方の次のパラメータ、すなわち、最小着色値、最大着色値、最大レンジ限界、及び最小レンジ限界の少なくとも１つを指定するデバイスモデルプロファイルからデータを受け取るようになっている、システム。
【請求項５】
請求項１に記載のシステムにおいて、前記シーケンシャル変換コンポーネントは、前記ソースカラーコンテンツ及び前記デスティネーションカラーコンテンツの少なくとも一方が知覚される観察条件を補償するようになっている順方向カラーアピアランスモデルを含む、システム。
【請求項６】
請求項１に記載のシステムにおいて、前記シーケンシャル変換コンポーネントは、少なくとも後続のソースカラーコンテンツを受け取り、該後続のソースカラーコンテンツをデスティネーションカラーコンテンツにマッピングすることを容易にする少なくとも後続の変換を作成するようになっている、システム。
【請求項７】
請求項１に記載のシステムにおいて、前記後続のソースカラーコンテンツ及び前記ソースカラーコンテンツは、異なるメディアタイプを表す、システム。
【請求項８】
請求項１に記載のシステムにおいて、前記シーケンシャル変換コンポーネントは、少なくとも後続のソースカラーコンテンツを受け取り、該後続のソースカラーコンテンツを少なくとも後続のデスティネーションカラーコンテンツにマッピングすることを容易にする少なくとも後続の変換を作成するようになっている、システム。
【請求項９】
請求項８に記載のシステムにおいて、前記後続のデスティネーションカラーコンテンツ及び前記デスティネーションカラーコンテンツは、異なるメディアタイプを表す、システム。
【請求項１０】
請求項１に記載のシステムにおいて、前記中間色空間は、IEC61966-2-2において定義されるSCRGB色空間を含む、システム。
【請求項１１】
コンピューター可読命令が組み込まれたコンピューター可読記録媒体と結合されるプロセッサを備えるシステムであって、前記コンピューター可読命令は、色基盤変換エンジンを実行するためにプロセッサにより実行されるものであり、前記色基盤変換エンジンは、
第１のメディアタイプのソースカラーコンテンツをソースデバイスから受け取り、該ソースカラーコンテンツを、デスティネーションデバイスでのレンダリング用のデスティネーションカラーコンテンツにマッピングすることを容易にする変換を作成するようになっているシーケンシャル変換コンポーネントであって、
前記シーケンシャル変換コンポーネントが、前記ソースデバイスに関連付けられているソース色空間において定義された前記ソースカラーコンテンツの第１のピクセル値を受け取るようになっている順方向デバイスモデルを含み、前記順方向デバイスモデルは、前記ソースデバイスに関連付けられている前記ソース色空間から受け取った前記第１のピクセル値を、デバイス独立色空間における第２のピクセル値に変換し、
前記シーケンシャル変換コンポーネントが、前記ソースカラーコンテンツ及び前記デスティネーションカラーコンテンツの少なくとも一方が知覚される観察条件を補償するようになっている順方向カラーアピアランスモデルをさらに含み、前記順方向カラーアピアランスモデルは、前記第２のピクセル値を、デバイス独立且つ観察条件独立な中間色空間における第３のピクセル値に変換し、
前記シーケンシャル変換コンポーネントが、前記第３のピクセル値を受け取って、前記デスティネーションデバイスのデスティネーション色空間の色域にマッピングされる第４のピクセル値を生成するようになっている色域マッピングモデルをさらに含み、
前記シーケンシャル変換コンポーネントが、前記第４のピクセル値を、前記デバイス独立色空間における第５のピクセル値に変換するようになっている逆方向カラーアピアランスモデルをさらに含み、
前記シーケンシャル変換コンポーネントが、前記デバイス独立色空間の前記第５のピクセル値を、前記デスティネーションデバイスの色空間における第６のピクセル値に変換するようになっている逆方向カラーアピアランスモデルをさらに含む、
シーケンシャル変換コンポーネントと、
前記変換を受け取って、ソースカラーと前記変換に基づき結果として得られるデスティネーションカラーとの間のマッピングから成る最適化変換テーブルを作成するようになっている変換最適化コンポーネントであって、ソース色空間をサンプリングすることにより、サンプルの表現バッファを作成し、該バッファを前記シーケンシャル変換コンポーネントを通じて実行し、ソースカラーと結果として得られるデスティネーションカラーとの間のマッピングの前記最適化変換テーブルを作成する、変換最適化コンポーネントと、
前記最適化変換テーブルを受け取って、前記ソース色空間から前記デスティネーション色空間へ色のアレイを変換することにより前記デスティネーションカラーコンテンツを生成するようになっている変換実行コンポーネントであって、前記変換実行コンポーネントが、前記ソース色空間の中から前記色のアレイをキャッシュされた色のアレイを用いてチェックして、一般的に変換された色を即座にマッチングすることを可能にし、前記ソース色空間からの前記色のアレイを前記キャッシュからの色のアレイとマッチングできない場合、最適化変換テーブルを補間して、最も近い一致を見出し、前記デスティネーションカラーコンテンツを生成して前記デスティネーションデバイスに引渡し、前記デスティネーションカラーコンテンツを、前記デスティネーションデバイスで合成コンポーネントとしてレンダリングする、変換実行コンポーネントと
を少なくとも含む、システム。
【請求項１２】
請求項１１に記載のシステムにおいて、
前記順方向デバイスモデルは、特定のデバイスによってサポートされる色を人間の視覚系により知覚される色に関連付けるデバイスモデルプロファイルからデータを受け取るようになっており、
前記デバイスモデルプロファイルは、前記ソースデバイス及びデスティネーションデバイス用の少なくとも次のパラメータ、すなわち、最小着色値、最大着色値、最大レンジ限界、及び最小レンジ限界、の少なくとも１つを指定する、
システム。
【請求項１３】
請求項１１に記載のシステムにおいて、前記シーケンシャル変換コンポーネントにより与えられる前記変換は、前記ソースカラーコンテンツをデバイス独立且つ観察条件独立な中間色空間にマッピングするものであり、該中間色空間は、前記中間色空間への線形数学的オペレーションの適用を可能にするガンマ・パラメータを含む、システム
【請求項１４】
コンピューター可読記録媒体に格納されたコンピューター実行可能命令を実行するプロセッサにより実施される方法であって、
第１のメディアタイプのソースカラーコンテンツをソースデバイスから受け取り、該ソースカラーコンテンツを、デスティネーションデバイスでのレンダリング用のデスティネーションカラーコンテンツに変換することを容易にするための変換を作成するステップと、
前記ソースデバイスに関連付けられているソース色空間において定義された前記ソースカラーコンテンツの第１のピクセル値を受け取るステップと、
前記ソースデバイスに関連付けられている前記ソース色空間から受け取った前記第１のピクセル値を、デバイス独立且つ観察条件独立な中間色空間において定義された第２のピクセル値に変換するステップと、
前記ソース色空間とデスティネーション色空間との間の色域マッピングを決定するステップと、
前記デバイス独立且つ観察条件独立な中間色空間の前記第２のピクセル値を、前記デスティネーションデバイスの色空間において定義された第３のピクセル値に変換するステップと、
ソースカラーと前記変換に基づき結果として得られるデスティネーションカラーとの間のマッピングから成る最適化変換テーブルを、前記プロセッサにより作成するステップと、
前記ソース色空間から前記デスティネーション色空間へ色のアレイを変換することにより前記デスティネーションカラーコンテンツをプロセッサにより生成するステップであって、該ステップが、前記ソース色空間の中から前記色のアレイをキャッシュされた色のアレイを用いてチェックして、一般的に変換された色を即座にマッチングすることを可能にし、前記ソース色空間からの前記色のアレイを前記キャッシュからの色のアレイとマッチングできない場合、最適化変換テーブルを使用して最も近い一致を見出し、前記デスティネーションカラーコンテンツを生成する、ステップと
を含む、方法。
【請求項１５】
請求項１４に記載の方法において、前記ソースカラーと前記変換に基づき結果として得られるデスティネーションカラーとの間のマッピングから成る最適化変換テーブルを作成するステップは、
前記ソース色空間をサンプリングすることにより、サンプルの表現バッファを作成するステップと
該バッファをシーケンシャル変換コンポーネントを通じて実行し、ソースカラーと結果として得られるデスティネーションカラーとの間のマッピングの前記最適化変換テーブルを作成するステップと
をさらに含む方法。
【請求項１６】
請求項１４に記載の方法において、前記ソースデバイスに関連付けられている前記ソース色空間から受け取った前記第１のピクセル値を、デバイス独立且つ観察条件独立な中間色空間において定義された第２のピクセル値に変換するステップは、前記ソースデバイスに関連付けられている前記ソース色空間からの前記第１のピクセル値を、デバイス独立な色空間におけるピクセル値に変換するステップをさらに含み、該デバイス独立な色空間はCIEXYZ色空間である、方法。
【請求項１７】
請求項１６に記載の方法において、前記ソースデバイスに関連付けられている前記ソース色空間から受け取った前記第１のピクセル値を、デバイス独立且つ観察条件独立な中間色空間において定義された第２のピクセル値に変換するステップは、前記デバイス独立なCIEXYZ色空間におけるピクセル値を前記デバイス独立且つ観察条件独立な中間色空間に変換するステップをさらに含む、方法。
【請求項１８】
請求項１４に記載の方法において、前記第１のメディアタイプのソースカラーコンテンツは、前記デスティネーションカラーコンテンツの有する第２のメディアタイプとは異なるタイプのものである、方法。
【請求項１９】
請求項１４に記載の方法において、前記ソースデバイスは、前記デスティネーションデバイスとは異なるタイプのものである、方法。